(57)【要約】【課題】本発明の目的は、Ｘ線装置のＸ線管装置に高電圧を供給するのにより適した高耐圧トランスを提供すること、あるいはそれを用いたＸ線装置を提供すること、である。【解決手段】鉄心と、前記鉄心に巻回された一次巻線と、前記一次巻線に重ねて前記鉄心に巻回された二次巻線を有し、前記二次巻線は複数の層を構成して巻回されており、前記複数の層の内の最外周に位置する第1層の前記鉄心に沿う方向の長さＬ１が、前記二次巻線の前記複数の層の前記第1層より前記鉄心側に位置する第２層における前記鉄心に沿う方向の長さＬ２より短く、さらに前記第1層の両端部がそれぞれ、前記鉄心に沿う方向において、前記第２層の両端部より内側に位置していて、Ｘ線管に供給する電圧を発生するために使用される電圧が前記二次巻線より出力される、ことを特徴とするＸ線管用高耐圧トランス。【選択図】図４
2017157468.tif 000002
【特許請求の範囲】
【請求項１】
鉄心と、前記鉄心に巻回された一次巻線と、前記一次巻線に重ねて前記鉄心に巻回された二次巻線を有し、
前記二次巻線は複数の層を構成して巻回されており、
前記複数の層の内の最外周に位置する第１層の前記鉄心に沿う方向の長さＬ１が、前記二次巻線の前記複数の層の前記第１層より前記鉄心側に位置する第２層における前記鉄心に沿う方向の長さＬ２より短く、
さらに前記第１層の両端部がそれぞれ、前記鉄心に沿う方向において、前記第２層の両端部より内側に位置していて、Ｘ線管に供給する電圧を発生するために使用される電圧が前記二次巻線より出力される、
ことを特徴とするＸ線管用高耐圧トランス。
【請求項２】
請求項１に記載のＸ線管用高耐圧トランスにおいて、
前記二次巻線の前記第１層と前記第２層よりもさらに前記鉄心の側に位置し、前記第１層の前記鉄心に沿う方向の前記長さＬ１や前記第２層の前記鉄心に沿う方向の前記長さＬ２よりさらに長い長さを有する複数の層が設けられている、
ことを特徴とするＸ線管用高耐圧トランス。
【請求項３】
請求項１に記載のＸ線管用高耐圧トランスにおいて、前記二次巻線が第１二次巻線と第２二次巻線を有しており、前記一次巻線の外周側に位置してさらに前記鉄心に沿う方向に並べて前記第１二次巻線と前記第２二次巻線が配置されていて、
前記第１二次巻線および前記第２二次巻線において、最外周に位置する前記二次巻線の前記第１層の前記鉄心に沿う方向の長さＬ１が、前記二次巻線の前記第1層より前記鉄心側に位置する前記二次巻線の第２層の前記鉄心に沿う方向の長さＬ２より短く、
さらに前記第１層の両端部がそれぞれ、前記鉄心に沿う方向において、前記第２層の両端部より内側に位置している、
ことを特徴とするＸ線管用高耐圧トランス。
【請求項４】
請求項３に記載のＸ線管用高耐圧トランスにおいて、
前記第１二次巻線と前記第２二次巻線との間に位置し、前記鉄心の側から前記第１二次巻線や前記第２二次巻線のそれぞれの最外周の層よりもさらに外側に延びる中間絶縁層を備えている、
ことを特徴とするＸ線管用高耐圧トランス。
【請求項５】
請求項４に記載のＸ線管用高耐圧トランスにおいて、
前記第１二次巻線および前記第２二次巻線のそれぞれの最外周の存在する前記第1層の各中間絶縁層の側の端部と前記中間絶縁層との間の距離が、前記第１二次巻線および前記第２二次巻線のそれぞれの最外周の存在する前記第１層より内側に存在する前記第２層のそれぞれの中間絶縁層側の端部と前記中間絶縁層との間の距離より、長くなるように、前記第１二次巻線および前記第２二次巻線が作られている、
ことを特徴とするＸ線管用高耐圧トランス。
【請求項６】
請求項１に記載のＸ線管用高耐圧トランスにおいて、
前記鉄心に第１高耐圧トランスと第２高耐圧トランスが形成されており、前記第１高耐圧トランスと第２高耐圧トランスはそれざれ前記鉄心に巻回された前記一次巻線と、前記一次巻線に重ねて前記鉄心に巻回された前記二次巻線を有し、
前記二次巻線は前記複数の層を成して巻回されており、
前記複数の層の内の最外周に位置する前記第１層の前記鉄心に沿う方向の前記長さＬ１が、前記二次巻線の前記第１層より前記鉄心側に位置する前記二次巻線の前記第２層の前記鉄心に沿う方向の前記長さＬ２より短く、
さらに前記第１層の両端部がそれぞれ、前記鉄心に沿う方向において、前記第２層の前記両端部より内側に位置している、
ことを特徴とするＸ線管用高耐圧トランス。
【請求項７】
請求項６に記載のＸ線管用高耐圧トランスにおいて、
前記第１高耐圧トランスと第２高耐圧トランスが有する前記二次巻線がそれぞれ、前記第１二次巻線と前記第２二次巻線を有しており、
前記一次巻線の外周側に位置してさらに前記鉄心に沿う方向に並べて前記第１二次巻線と前記第２二次巻線が配置されていて、
前記第１二次巻線および第２二次巻線において、最外周に位置する前記二次巻線の前記第1層の前記鉄心に沿う方向の前記長さＬ１が、前記二次巻線の前記第１層の前記鉄心側に位置する前記二次巻線の前記第２層の前記鉄心に沿う方向の前記長さＬ２より短く、
さらに前記第１層の両端部がそれぞれ、前記鉄心に沿う方向において、前記第２層の両端部より内側に位置している、
ことを特徴とするＸ線管用高耐圧トランス。
【請求項８】
請求項７に記載のＸ線管用高耐圧トランスにおいて、
前記第１高耐圧トランスと第２高耐圧トランスが有する前記第１二次巻線と前記第２二次巻線との間に位置して、前記鉄心の側から前記第１二次巻線や前記第２二次巻線のそれぞれの最外周の層よりもさらに外側に延びる中間絶縁層を備えていて、
前記第１二次巻線および前記第２二次巻線のそれぞれの最外周の存在する第１層の各中間絶縁層側の端部と前記中間絶縁層との間の距離が、前記第１二次巻線および前記第２二次巻線のそれぞれの最外周に存在する前記第１層より内側に存在する前記第２層のそれぞれの中間絶縁層側の端部と前記中間絶縁層との間の距離より、長くなるように、前記第１二次巻線および前記第２二次巻線が作られている、
ことを特徴とするＸ線管用高耐圧トランス。
【請求項９】
Ｘ線を被検体に照射するためのＸ線管装置と、前記被検体を透過したＸ線を検出するためのＸ線検出装置と、前記Ｘ線管装置に高電圧を供給するための高電圧発生装置と、を有し、高電圧発生装置はＸ線管用高耐圧トランスを有し、
前記高耐圧トランスは、請求項１乃至請求項８の内の一に記載したＸ線管用高耐圧トランスである、
ことを特徴とする、Ｘ線管用高耐圧トランスを用いたＸ線装置。
【請求項１０】
前記高電圧発生装置は、前記Ｘ線管用高耐圧トランスに供給する交流電圧を発生するコンバータ回路と、前記Ｘ線管用高耐圧トランスの出力を整流する整流回路と、を備え、前記整流回路で整流された電圧に基づいて前記Ｘ線管装置に前記高電圧を供給する、
ことを特徴とする、請求項９に記載のＸ線管用高耐圧トランスを用いたＸ線装置。
【発明の詳細な説明】
【技術分野】
【０００１】
本発明は、Ｘ線ＣＴ装置を含む、Ｘ線を用いて被検体の透視あるいは撮像を行うＸ線装置に関し、特にＸ線装置に搭載されているＸ線管装置へ高電圧を供給するための高耐圧トランスおよびそれを用いたＸ線装置に関する。
【背景技術】
【０００２】
Ｘ線ＣＴ装置を含む、Ｘ線を用いて被検体の透視あるいは撮像を行うＸ線装置は、Ｘ線を発生させるためにＸ線管を搭載している。Ｘ線管装置は陰極で熱電子を発生させ、発生した熱電子を電子ビームの状態にし、さらに高電界により加速して陽極に衝突させ、Ｘ線を発生する。上記電子ビームを加速するためにＸ線管装置の陰極と陽極との間に、例えば数十ｋＶ〜１００ｋＶ程度の高電圧が印加される。このような高電圧をＸ線管装置に供給するために高電圧発生装置が設けられており、高電圧発生装置には、供給された電圧を非常に高い電圧に昇圧するための高耐圧トランスが設けられている。
【０００３】
上記高耐圧トランスでは、例えば内部の巻線などを、高耐圧に対応した電界の集中が緩和される構造とすることが求められる。高耐圧トランスを樹脂モールドする構造とすることが、電界の集中を緩和する一つの解決策である。このような樹脂モールド型の高耐圧トランスの一例が特許文献１に記載されている。
【先行技術文献】
【特許文献】
【０００４】
【特許文献１】特開２００５−３２８２９号公報
【発明の概要】
【発明が解決しようとする課題】
【０００５】
Ｘ線管装置へ高電圧を供給するために使用される高耐圧トランスは、小型化あるいは軽量化、あるいはその両方が要求される。上述の樹脂モールド構造の高耐圧トランスは、内部電界の集中を緩和する面では優れているが、小型化あるいは軽量化において課題を残している。すなわち高電圧の供給に適していることはもちろんであるが、それに加えてＸ線装置のＸ線管装置に高電圧を供給するための高電圧発生装置に用いるとの観点においてより適した高耐圧トランスであることが求められている。
【０００６】
本発明の目的は、Ｘ線装置のＸ線管装置に高電圧を供給するのにより適した高耐圧トランスを提供すること、あるいはそれを用いたＸ線装置を提供することである。
【課題を解決するための手段】
【０００７】
本発明に係るＸ線管用高耐圧トランスは、鉄心と、前記鉄心に巻回された一次巻線と、前記一次巻線に重ねて前記鉄心に巻回された二次巻線を有し、前記二次巻線は複数の層を構成して巻回されており、前記複数の層の内の最外周に位置する第1層の前記鉄心に沿う方向の長さＬ１が、前記二次巻線の前記複数の層の前記第1層より前記鉄心側に位置する第２層における前記鉄心に沿う方向の長さＬ２より短く、さらに前記第1層の両端部がそれぞれ、前記鉄心に沿う方向において、前記第２層の両端部より内側に位置していて、Ｘ線管に供給する電圧を発生するために使用される電圧が前記二次巻線より出力される、ことを特徴とする。
【発明の効果】
【０００８】
本発明によれば、Ｘ線管装置に高電圧を供給するのにより適した高耐圧トランスあるいはそれを用いたＸ線装置を得ることができる。
【図面の簡単な説明】
【０００９】
【図１】本発明が適用されたＸ線装置の一例を示す説明図である。
【図２】図１に記載の高電圧発生装置およびＸ線管装置の概要を説明する説明図である。
【図３】本発明が適用された高耐圧トランスの一例を示す説明図である。
【図４】図３の一点鎖線Ａの部分の巻線状態を説明する説明図である。
【図５】図４に記載の二次巻線における電界強度の分布状態を説明する説明図である。
【図６】従来技術に基づく二次巻線における電界強度の分布状態を説明する説明図である。
【発明を実施するための形態】
【００１０】
１．はじめに
以下に記載の発明を実施するための形態（以下実施形態と記す）は、色々な観点から検討を行い、色々な課題を解決している。これら解決される課題の１つが上述した発明が解決しようとする課題の欄に記載した内容であり、これに止まらずこれ以外の課題をも以下の実施形態は解決することができる。これらについては以下の実施形態の中で説明する。また以下に記載の実施形態は、上述の発明の効果の欄に記載した内容以外の効果をも奏している。上述の発明の効果の欄に記載した内容も含め、以下の実施形態が奏する効果について、実施形態の記載の中で説明する。
【００１１】
さらに以下に記載の実施形態を説明するために使用する図面において、同一の符号を付した構成は、略同一の構成内容であり、略同一の効果を奏する。同一の符号を付した構成に関する構成や作用、効果の説明の繰り返しは煩雑さを避けるために行わないこととする。
【００１２】
２．Ｘ線装置１００の概要について
添付図面に基づいて本発明を適用したＸ線装置について説明する。なお、高電圧発生装置から高電圧をＸ線管装置に供給してＸ線を発生させる構成を備えたＸ線装置であれば、Ｘ線ＣＴを含め、いろいろなタイプのＸ線装置に本発明が適用可能であるが、代表して図１に記載のＸ線装置により一実施形態を説明する。
【００１３】
Ｘ線装置１００は、寝台７０に搭載した被検体５０にＸ線を照射するためのＸ線管装置２００と、Ｘ線の照射範囲を規定するＸ線絞り装置１１０と、被検体５０を透過したＸ線を検出するＸ線検出装置１５２と、制御装置１５０と、Ｘ線管装置２００へ高電圧を供給する高電圧発生装置２５０、を備える。制御装置１５０は、Ｘ線検出装置１５２の検出結果に基づいて画像処理を行なう画像処理装置１５４と、画像処理装置１５４で処理されて生成されたＸ線画像を記憶したりあるいはその他必要な情報を記憶したりする記憶装置１５６と、画像処理装置１５４で処理されて生成されたＸ線画像などを表示する表示装置１６６と、Ｘ線装置１００の全体や各構成を制御したり必要な演算処理を行ったりする中央処理装置１６２と、必要な情報を入力したりＸ線透視やＸ線撮像のための操作を行ったりする入力装置１６４、を備えている。
【００１４】
被検体５０に対するＸ線透視やＸ線撮像の操作に従って高電圧発生装置２５０から高電圧がＸ線管装置２００へ供給され、Ｘ線管装置２００から被検体５０に向けてＸ線が照射される。Ｘ線の照射範囲や照射角がＸ線絞り装置１１０で規定される。被検体５０を透過したＸ線は、Ｘ線検出装置１５２で検出され、Ｘ線検出装置１５２の検出結果に基づいて画像処理装置１５４でＸ線画像が生成される。
【００１５】
３．高電圧発生装置２５０およびＸ線管装置２００の概要について
図２は高電圧発生装置２５０およびＸ線管装置２００の概要を説明する説明図である。Ｘ線管装置２００は、高電圧に対する電気的な絶縁を維持するために絶縁油が満たされており、該絶縁油により電気的な絶縁が維持された状態でＸ線管２１０が設けられている。Ｘ線管２１０には、熱電子を発生するためのフィラメント２１４を有する陰極２１２と、電子線２０２の衝突によりＸ線を発生する陽極２１６が設けられている。電子線２０２は高い運動エネルギを有しており、陽極２１６に衝突すると高い運動エネルギによりＸ線を発生する。しかしそれだけでなく大量の熱を発生するため陽極２１６が損傷する恐れがある。回転軸２２６を介して陽極２１６はモータ２２０と機械的に接続されており、モータ２２０により陽極２１６が回転し、陽極２１６の電子線２０２による衝突位置が常に移動するように構成されている。このことにより陽極２１６の電子線２０２による損傷を防止することができる。モータ２２０はコイル２２２とロータ２２４を有しており、モータ制御回路２４２からの駆動電流によってモータ２２０が回転し、陽極２１６の回転の開始や停止、さらに陽極２１６の回転速度がモータ制御回路２４２により制御される。
【００１６】
フィラメント２１４は加熱電流制御回路２４４からの電流に基づいて加熱され、熱電子を放出する。放出された熱電子は図示しない収束電極により収束されて電子線２０２の状態となり、陽極２１６に衝突する。電子線２０２の運動エネルギを大きくすることにより、陽極２１６から放出されるＸ線量が増大するため、高電圧発生装置２５０から高電圧を陰極２１２と陽極２１６との間に印加し、これにより電子線２０２が加速されて大きな運動エネルギを得る。
【００１７】
高電圧発生装置２５０の一例を次に説明する。高電圧発生装置２５０は、整流回路２５２と、コンバータ回路２５４と、インバータ回路２５６と、高耐圧トランス３００と、整流回路２５８と、平滑回路２６２、を有している。交流電源２４０から供給された交流電力は、整流回路２５２により整流され、コンバータ回路２５４により昇圧され、昇圧された直流電圧が作られる。しかしこれだけでは不十分であり、電子線２０２を十分に加速することが不可能である。コンバータ回路２５４によって昇圧された直流電圧は、インバータ回路２５６によって高周波交流電圧に変換される。高耐圧トランス３００はインバータ回路２５６により作られた高周波交流電圧を昇圧して例えば数万Ｖあるいはそれよりさらに高い高電圧を発生する。高耐圧トランス３００によって昇圧された交流電圧は、整流回路２５８によって整流され、平滑回路２６２よって平滑されて、陰極２１２が負側となり陽極２１６が正側となる極性で印加される。印加された高電圧により上述したように電子線２０２が加速され、高い運動エネルギが与えられ、陽極２１６に衝突してＸ線を発生する。
【００１８】
上述したように図２に記載の高電圧発生装置２５０は本発明が適用された回路の一例であり、本発明の適用がこれに限られるものではない。
【００１９】
４．高耐圧トランス３００について
高耐圧トランス３００の一例を図３に記載する。また図３の一点鎖線Ａで示した部分の二次巻線３４０と二次巻線３５０の構造を模式的に図４に記載する。第２高耐圧トランス３０４だけでなく第１高耐圧トランス３０２の二次巻線３４０と二次巻線３５０の構造も同じく図４に記載の構造を成している。これらを代表して、第２高耐圧トランス３０４の二次巻線に関してのみ図４に記載している。
【００２０】
鉄心３１０により、第１高耐圧トランス３０２と第２高耐圧トランス３０４の２組の高耐圧トランスが、構成される。第１高耐圧トランス３０２と第２高耐圧トランス３０４はそれぞれ、一次巻線３３０と二次巻線３４０や二次巻線３５０を備えている。これらはそれぞれほぼ同じ構成で略同じ作用効果を成すので、各組の高耐圧トランスの対応する構成には同じ符号を付している。各組はそれぞれ高耐圧トランスとして作用し昇圧された高電圧を出力するので、１組のみであっても十分に機能することができる。この実施形態のように２組の高耐圧トランスを構成することにより、例えば各組の出力電圧を直流電圧に変換した後に互いに直列接続してＸ線管２１０に高電圧を供給することが可能となり、１組のみよりも高い電圧をＸ線管２１０へ供給することが可能となる。Ｘ線管２１０への供給電力は高電圧が要求される反面、要求される供給電流値が非常に少ないため、このような構成が可能となる。以下の説明では代表して第２高耐圧トランス３０４で示す一方に付いて説明するが、第１高耐圧トランス３０２も全く同じである。
【００２１】
第１高耐圧トランス３０２と第２高耐圧トランス３０４はそれぞれボビン３２０を有している。ボビン３２０は一次巻線３３０と二次巻線３４０や二次巻線３５０の全て、すなわち一次巻線と二次巻線の両方を巻回する構造としても良いし、また一次巻線３３０の外周側に配置して二次巻線３４０や二次巻線３５０からなる二次巻線のみを巻回するようにしても良い。本実施例では、一例として、ボビン３２０を一次巻線３３０の外周側に配置して、二次巻線３４０や二次巻線３５０である二次巻線のみを巻回する構造であるとして説明する。
【００２２】
第１高耐圧トランス３０２や第２高耐圧トランス３０４の２次巻線はそれぞれ、２つに分けられ、一方を二次巻線３４０として巻回し、他方を二次巻線３５０として巻回し、二次巻線３４０と二次巻線３５０が直列に接続されることにより、二次巻線が作られている。ボビン３２０は二次巻線の一方と他方とを分け、これらの間に、絶縁を保つための中間絶縁層３２２を有している。鉄心３１０に沿う方向において、中間絶縁層３２２で分けられる一方側に二次巻線３４０が巻回され、中間絶縁層３２２でわけられる他方側に二次巻線３５０が巻回される。このように、ボビン３２０は二次巻線３４０と二次巻線３５０を固定すると共に二次巻線３４０と二次巻線３５０との間の電気的な絶縁を維持し、さらに一次巻線３３０との間の電気的絶縁を維持するために、中間絶縁層３２２と底部３２４を有している。さらに中間絶縁層３２２が二次巻線３４０や二次巻線３５０の最外周の層よりもさらに外周方向に突出する形状を成していて、二次巻線３４０と二次巻線３５０との間の電気的な絶縁性を高めている。中間壁３２２のこのような形状により、二次巻線３４０の最外周である層３４１と二次巻線３５０の最外周である層３５８との間には高い電圧が掛かっているが、これらの間の絶縁性が維持されている。
【００２３】
さらに二次巻線３４０の層３４１から層３４４のそれぞれの中間絶縁層３２２側の端部と中間壁３２２との間に、空間が形成されている。またこれらの空間は、外周側に位置するほど大きくなっている。同様に二次巻線３５０の層３５５や層３６５、層３５７、層３５８に関しても、外周側に位置するほど中間絶縁層３２２との間の空間が大きくなっている。この空間は電界の集中を緩和する作用を成すだけでなく、二次巻線３４０と二次巻線３５０との間の電気的な絶縁の維持に対しても大きな効果を奏している。
【００２４】
一次巻線３３０の外周側に配置された二次巻線３４０や二次巻線３５０と、一次巻線３３０との間の電気的な絶縁や、二次巻線３４０や二次巻線３５０の固定のために、プレスボード３２６を設けている。一次巻線にインバータ回路２５６から高周波交流電圧が供給されると、一次巻線３３０の巻回数と二次巻線３４０や二次巻線３５０の巻回数との関係に基づいて昇圧された電圧が、二次巻線３４０と二次巻線３５０で構成される二次巻線から、出力される。
【００２５】
５．高耐圧トランス３００の二次巻線３４０や二次巻線３５０構造について
上述したように、この実施形態では、一例として、高耐圧トランス３００の二次巻線は二次巻線３４０と二次巻線３５０とで構成されていて、各層の形状は図４に模式的に記載した形状を成している。高耐圧トランス３００の二次巻線３４０と二次巻線３５０は一次巻線３３０の外周にプレスボード３２６を介して設けられたボビン３２０に巻回されている。一例として、二次巻線３４０は層３４１から層３４８の８層で構成され、さらに二次巻線３５０は層３５１から層３５８の８層で構成されている。また二次巻線３４０と二次巻線３５０は、層３４８と層３５１が電気的に接続されることにより、直列接続されている。
【００２６】
一次巻線３３０に近い側の複数の層では、二次巻線の巻回により作られる各層の長さＬは略同じ長さであり、外周側の複数の層において、二次巻線の巻回により作られる各層の長さＬは、外周側の層ほどその両端が内側に位置するように、短くなっている。なお各層の長さをＬとしているが、図示の煩雑さを避けるために層３４２から層３４８は長さＬの表示を省略している。二次巻線３５０に関しても同様で、最も外周側の層３５８のみ長さＬを表示し、層３５７から層３５１は長さＬの表示を省略している。外周側の層ほどその両端が内側に位置する構造は、二次巻線３４０と二次巻線３５０において同様である。図３の第２高耐圧トランス３０４の一点鎖線Ａの部分に付いて、図４を用いて説明したが、第２高耐圧トランス３０４の二次巻線３４０や二次巻線３５０の全体が図４に示す構造となっており、さらに第１高耐圧トランス３０２の二次巻線３４０や二次巻線３５０も同様の構造となっている。
【００２７】
６．高耐圧トランス３００の二次巻線３４０や二次巻線３５０構造と電界強度について
図５は、図４の二次巻線３４０の構造における電界強度をシミュレーションした結果であり、層３４１から層３４８の周囲における電界強度は低い値で、電界の集中が抑制されている。シミュレーションした具体例は、８層構造の二次巻線であり、層３４５から層３４８は各層当たり１００ターンで、各層の長さＬはそれぞれ約４０ｍｍである。層３４４である５層目の長さＬが３８ｍｍ、層３４３である６層目の長さＬが３６ｍｍ、層３４２である７層目の長さＬが３４ｍｍ、層３４１である８層目の長さＬが３２ｍｍ、である。シミュレーションの結果、破線で示す領域４０２や領域４０４や領域４０６はそれぞれに近い電界強度を示しており、いずれも比較的低い値であった。また急激な電界の集中や変化が見られなかった。
【００２８】
図６は従来の技術に基づいて作られた二次巻線にかんする電界強度のシミュレーション結果である。層４５２から層４５８で構成される１層から７層までは各層の巻回数が１００ターンであり、その長さＬが約４０ｍｍである。８層目である層４５１は巻き数に端数が生じ、長さＬが２０ｍｍとなっている。シミュレーションの結果、従来の方式では最外周の層４５１の端部の領域４１２の電界強度が非常に高くなる。例えば本発明を適用した図５に記載の層３４１の端部の領域４０２や領域４０６に対して図６に記載の領域４１２は２倍以上の電界強度となる。さらに図６に記載の層４５２の端部の領域４１４の電界強度も高くなり、本発明を適用した図５に記載の層３４１の端部の領域４０２や領域４０６の電界に対して１．５倍よりも高い値の電界強度となった。
【００２９】
図５や図６の説明から分るように、図４で説明の構造とすることにより、従来の図６の構造に対して、電界強度が低く、絶縁のための構造が簡単となる。このことにより図３に記載の高耐圧トランス３００が小型になる効果がある。さらに他の機器に及ぼす影響も低減され、高電圧発生装置２５０を含めた装置全体が小型化し、さらに軽量化することができる。すなわち本発明を適用することにより、Ｘ線撮像装置の信頼性が向上し、さらにＸ線を照射するために関係する装置全体の形状が小型化可能となる。また軽量化も可能となる。Ｘ線ＣＴを含め、被検体５０に対する撮像面を変えてＸ線撮像する装置では、高電圧発生装置２５０を含めたＸ線の照射に関係する機器を移動や回転させることが必要となる。このようなＸ線撮像装置に関しては、Ｘ線を照射するために関係する装置全体の形状が小型化され軽量化されることにより、非常に大きな効果がもたらされる。
【００３０】
７．他の実施形態について
図１で説明した構成は、Ｘ線装置１００の一例であり、これに限るものではない。色々な種類のＸ線装置であっても、Ｘ線管装置２００と高電圧発生装置２５０を備えることが必要であり、本発明を適用することで上述した大きな効果が得られる。
【００３１】
図２に記載の高電圧発生装置２５０は一例であり、高耐圧トランス３００を用いて昇圧する構成を有するものであれば、本発明を適用することで上述した大きな効果が得られる。
【００３２】
図３に記載の高耐圧トランス３００は、鉄心３１０に対して第１高耐圧トランス３０２と第２高耐圧トランス３０４の２組のトランスを有しているが、第１高耐圧トランス３０２あるいは第２高耐圧トランス３０４のどちらか一方であっても、本発明が適用可能であり、信頼性の向上や、小型化、軽量化の点で大きな効果が得られる。
【００３３】
また図３に記載の高耐圧トランス３００では、二次巻線を二次巻線３４０と二次巻線３５０とに分け、鉄心に沿う方向に並べて配置している。すなわち一次巻線３３０の層の外周側に、一次巻線３３０の層の長さより短い層長さＬの二次巻線を並べて配置している。このようにすることで高耐圧トランス３００を小型にすることができ、軽量化にも効果がある。また各層においてその両端の電位の差が比較的小さくなり、各層間の絶縁が容易となる。例えば樹脂モールでしなくても十分な絶縁を維持することが可能となる。なお各層間には絶縁紙が設けられている。
【００３４】
しかし、二次巻線を二次巻線３４０や二次巻線３５０のように分けるのではなく、一次巻線３３０の外周側に一次巻線３３０の層の長さとほぼ近い長さの層で二次巻線を構成しても良い。
【００３５】
図４や図５に記載の二次巻線の構造では、外周側４層についてその両端部が外側に行くほど徐々に内側に位置する構造、すなわち外側に行くほど徐々に層の長さＬが短くなるように構成されている。しかし、４層についてこのように構成とするのは一例であり、３層であっても良いし、５層あるいはそれ以上であっても良い。
【符号の説明】
【００３６】
５０・・・被検体、７０・・・寝台、１００・・・Ｘ線装置、１１０・・・Ｘ線絞り装置、１５０・・・制御装置、１５２・・・、Ｘ線検出装置、１５４・・・画像処理装置、１５６・・・記憶装置、１６２・・・中央処理装置、１６４・・・入力装置、１６６・・・表示装置、２００・・・Ｘ線管装置、２０２・・・電子線、２０４・・・Ｘ線、２１０・・・Ｘ線管、２１２・・・陰極、２１４・・・フィラメント、２１６・・・陽極、２２０・・・モータ、２２２・・・コイル、２２４・・・ロータ、２２６・・・回転軸、２４０・・・交流電源、２４２・・・モータ制御回路、２４４・・・加熱電流制御回路、２５０・・・高電圧発生装置、２５２・・・整流回路、２５４・・・コンバータ回路、２５６・・・インバータ回路、２５８・・・整流回路、２６２・・・平滑回路、３００・・・高耐圧トランス、３０２・・・第１高耐圧トランス、３０４・・・第２高耐圧トランス、３１０・・・鉄心、３２０・・・ボビン、３２２・・・中間壁、３２４・・・底部、３２６・・・プレスボード、３３０・・・一次巻線、３４０・・・二次巻線、３５０・・・二次巻線、３４１・・・層、３４２・・・層、３４３・・・層、３４４・・・層、３４５・・・層、３４６・・・層、３４７・・・層、３４８・・・層、３５１・・・層、３５２・・・層、３５３・・・層、３５４・・・層、３５５・・・層、３６５・・・層、３５７・・・層、３５８・・・層、４０２・・・領域、４０４・・・領域、４０６・・・領域、４５１・・・層、４５２・・・層、４５３・・・層、４５４・・・層、４５５・・・層、４５６・・・層、４５７・・・層、４５８・・・層、４１２・・・領域、４１４・・・領域。
【図１】
2017157468.tif 000003
【図２】
2017157468.tif 000004
【図３】
2017157468.tif 000005
【図４】
2017157468.tif 000006
【図５】
2017157468.tif 000007
【図６】
2017157468.tif 000008